【事件の表示】
　特願２０１８−１９９７３６「コネクタ」拒絶査定不服審判事件〔平成３１年　２月　７日出願公開、特開２０１９−　１８０４９〕について、次のとおり審決する。
【結　論】
　本件審判の請求は、成り立たない。
【理　由】
第１　手続の経緯
　本願は、平成２７年６月１７日に出願された特願２０１５−１２２４３９号の一部を、平成３０年１０月２４日に新たに出願したものであって、令和元年８月６日付けで拒絶理由が通知され、同年９月３０日に意見書が提出され、令和２年２月１４日付けで拒絶査定されたところ、同年５月１５日に拒絶査定不服審判の請求がなされ、同時に手続補正がなされたものである。その後当審において同年１０月２８日付けで拒絶理由が通知され、同年１２月１１日付けで手続補正（以下「本件補正」という。）がなされるとともに、意見書が提出されたものである。
第２　本願発明
　本件補正によって補正された、特許請求の範囲の請求項１に係る発明（以下、「本願発明」という。）は、以下のとおりである（下線は補正箇所を示す。）。　
「　　【請求項１】
　照明光を発生する光源装置と接続する内視鏡のコネクタにおいて、
　前記照明光を導光する導光部と、
　前記光源装置と無線通信を行う無線通信部と、
　前記光源装置から無線で電力の供給を受ける無線受電部と、
　前記無線通信部及び前記無線受電部を収納し、前記光源装置に接続する接続姿勢において前記光源装置側に位置する前面から前記導光部が突出する収納部と、
　前記接続姿勢において鉛直上方に位置する上面から見た場合に前記導光部の中心軸上に一つの親指を載せる凹状の指載部を有する把持部と、
　を備え、
　前記指載部は、前記把持部の中心軸に沿った第１方向の長さが、前記把持部の中心軸に垂直な第２方向の長さよりも長
く、前記上面から見た場合に、前記収納部側の半円形状の前部と、前記第１方向に沿った長方形状の中部と、前記収納部側と反対側の半円形状の後部とを有し、前記上面に対して、前記前部の深さは、前記後部側から前記収納部側にかけて浅くなっており、前記中部は、前記第１方向において一定の深さであり、かつ、前記第２方向において湾曲したＵ字型の面形状であり、前記後部の深さは、前記第１方向において前記収納部側と反対側にかけて中心から遠いほど浅くなっている
第３　拒絶の理由
　令和２年１０月２８日付けで当審が通知した拒絶理由のうちの理由２の概要は、次のとおりのものである。
（進歩性）この出願の請求項１に係る発明は、その出願前に日本国内又は外国において、頒布された又は電気通信回線を通じて公衆に利用可能となった下記の引用文献１に記載された発明、引用文献２に記載された事項及び周知の技術事項に基いて、その出願前にその発明の属する技術の分野における通常の知識を有する者が容易に発明をすることができたものであるから、特許法第２９条第２項の規定により特許を受けることができない。
引用文献１：国際公開第２０１１／０５２４０８号（査定時の引用文献１）
引用文献２：国際公開第２００５／０７７２４９号（査定時の引用文献２）
引用文献３：特開２００５−１３９７２５号公報（新たな引用文献）
第４　引用文献及びその記載事項
１　引用文献１には、図面とともに次の事項が記載されている。
　なお、以下の摘記において、イの引用発明の認定に関連する箇所に下線を付与した。
ア　引用文献１について　　　
（１−ア）
「背景技術
［０００２］　医療機器である内視鏡装置は、周辺機器であるビデオプロセッサ、光源装置などに接続される。そのため、内視鏡装置は、ビデオプロセッサ、光源装置などと着脱自在に接続できる内視鏡コネクタが信号ケーブルの延出端に配設されている。この内視鏡コネクタは、外部機器であるビデオプロセッサ、光源装置などに幾度となく接続される。
［０００３］　このような内視鏡コネクタは、例えば、ＪＰ特開平８−２１１３０７号公報に記載の電子内視鏡に開示されている。
・・・
［００１１］　先ず、内視鏡装置１は、図１に示すように、観察対象部位、ここでは大腸などの管腔内へ挿入する細長の長尺部材としての挿入部２と、この挿入部２の基端部に連設された操作部３と、この操作部３の側面より延設された複合ケーブルであるユニバーサルケーブル４と、このユニバーサルケーブル４の端部に設けられて
光源装置と一体のビデオプロセッサ（不図示）である外部機器に着脱自在に接続される医療機器用コネクタである内視鏡コネクタ
５
（１−イ）
「［００１５］　次に、本実施の形態の内視鏡装置１が備えるコネクタ５の構成について、図２以降の図面に基づいて、以下に説明する。なお、本実施の形態のコネクタ５は、ユニバーサルケーブル４の終端となる内視鏡装置１の基端に配設されているため、ユニバーサルケーブル４に接続される側を先端（前方）とし、
外部機器に接続される側を基端（後方）として、
［００１６］　先ず、図２、および図３に示すように、
基端側から順に、２段連設形成された外径が異なる略円柱状の一体形成された２つの電気コネクタ部２１，２２を有する電気プラグ部２８と、前方側の電気コネクタ部２２に連設された略円筒状の第１のケース体であるコネクタケース２３と、折れ止め部材１９に向けて前方へ径が細くなった管状の第２のケース体であって、ユーザが主に右手で把持する把持部となるコネクタカバー２４と、によって
外装が形成され
（１−ウ）
「［００１８］　
第１の電気コネクタ部２１は、第２の電気コネクタ部２２の端面（基端面）から突起するように形成されており、複数の第１の電気接点３１が外周部の周面一部に周方向に沿って並設され
また、第１の電気コネクタ部２１は、ここでは上部側外周部の縁辺に、外部機器が接続されたスコープを認識するための切り欠き部３２が形成され
さらに、第１の電気コネクタ部２１の端面（基端面）からは、上部側に外部機器からの照明光が入射されるライトガイド口金２６
が延設され
［００１９］　
第２の電気コネクタ部２２にも、複数の第２の電気接点３３が外周部の周面一部に周方向に沿って並設され
（１−エ）
「［００２２］　
コネクタカバー２４は、外周部の側部中途部分に、漏水検知口金４３が設けられ
外周部の上下一部には、複数の滑り止め用凸部４４が形成され
［００２３］　このように、コネクタ５は、
コネクタカバー２４から突起する漏水検知口金４３の配設位置を上下方向に対して、右斜め方向へ略５０°（角度θ＝略５０°）傾けた位置に設けたことにより、ユーザが上部方向からアクセスして右手でコネクタカバー２４部分を把持したときに、人差し指と親指の間に漏水検知口金４３が位置す
自然にコネクタ５のコネクタカバー２４部分を把持することができる
（１−オ）
「［００３２］　このように構成された、コネクタ５は、図５に示すように、外部機器１００のコネクタ接続部１１０に接続される。この
外部機器１００との接続状態において、
［００３３］　
外部機器１００のコネクタ接続部１１０
［００３４］　孔部１０５内には、
第１の電気コネクタ部２１、および第２の電気コネクタ部２２の各電気接点３１，３３の個々と接触して電気的に導通す
複数の電気接点端子１０３，１０４
と記載されている。
（１−カ）
図１
図４
図５
イ　引用発明について
　上記（１−ア）〜（１−カ）の記載を踏まえれば、上記引用文献１には、以下の発明（以下「引用発明」という。）が記載されていると認められる。なお、参考のため、引用発明の認定に使用した引用文献１の摘記番号等を、付記してある。
「ａ)光源装置と一体のビデオプロセッサである外部機器に着脱自在に接続される医療機器用コネクタである内視鏡コネクタ５であって、（１−ア）
ｂ)外部機器に接続される側を基端（後方）として、基端側から順に、２段連設形成された外径が異なる略円柱状の一体形成された２つの電気コネクタ部２１，２２を有する電気プラグ部２８と、前方側の電気コネクタ部２２に連設された略円筒状の第１のケース体であるコネクタケース２３と、折れ止め部材１９に向けて前方へ径が細くなった管状の第２のケース体であって、ユーザが主に右手で把持する把持部となるコネクタカバー２４と、によって形成される外装と、（１−イ）
ｃ)第１の電気コネクタ部２１は、第２の電気コネクタ部２２の端面（基端面）から突起するように形成されており、複数の第１の電気接点３１が外周部の周面一部に周方向に沿って並設され、また、第１の電気コネクタ部２１は、ここでは上部側外周部の縁辺に、外部機器が接続されたスコープを認識するための切り欠き部３２が形成され、さらに、第１の電気コネクタ部２１の端面（基端面）からは、上部側に外部機器からの照明光が入射されるライトガイド口金２６が延設され、第２の電気コネクタ部２２にも、複数の第２の電気接点３３が外周部の周面一部に周方向に沿って並設され、（１−ウ）
ｄ)コネクタカバー２４は、外周部の側部中途部分に、漏水検知口金４３が設けられ、外周部の上下一部には、複数の滑り止め用凸部４４が形成され、コネクタカバー２４から突起する漏水検知口金４３の配設位置を上下方向に対して、右斜め方向へ略５０°（角度θ＝略５０°）傾けた位置に設けたことにより、ユーザが上部方向からアクセスして右手でコネクタカバー２４部分を把持したときに、人差し指と親指の間に漏水検知口金４３が位置し、自然にコネクタ５のコネクタカバー２４部分を把持することができ、（１−エ）
ｅ)外部機器１００との接続状態において、第１の電気コネクタ部２１、および第２の電気コネクタ部２２の各電気接点３１，３３の個々は外部機器１００のコネクタ接続部１１０の複数の電気接点端子１０３，１０４と接触して電気的に導通する（１−オ）
ｆ)内視鏡コネクタ５」
２　引用文献２には、次の事項が記載されている。
（２−ア）
「技術分野
　この発明は、体腔内に挿入部が挿入され、検査・処置終了後にその挿入部等の洗浄・消毒を行って再使用される内視鏡を有する内視鏡システムに関する。」（１頁４〜６行）
（２−イ）
「　発明の開示
　本発明の内視鏡システムは、少なくとも、電気的機能部、光学的機能部及び各種管路を一部に集約して構成される本体ユニット及びこの本体ユニットに対して着脱自在で、該本体ユニットの有する電気的機能部から延出する信号線及び光学的機能部から延出するライトガイドが挿通する端部にスコープコネクタを有する
ユニバーサルコ一ドユニットを備えた内視鏡と、
内視鏡使用後においては、ユニバーサルコードユニットを本体ユニットから取り外すことによつて、ユニバーサルコードユニットについては管路内の洗浄が不要になる。
　また、前記
着脱可能なユニバーサルコードユニットの連結部及び本体部ユニットの連結部
電源伝送部及び前記信号伝送部を、非接触型の電磁誘導結合手段である非接触電力伝送部及び非接触信号伝送部で構成している。
ユニバーサルコードユニットの連結部及び本体部ユニットの連結部に設けられる電気接点が大幅に減少するので、内視鏡を洗浄・消毒するに当たっての問題であった錆の発生等、耐性品質が大幅に向上して防水キヤップの装着が不要になる。
                                     
（２−ウ）
「　本実施形態のスコープコネクタ１４３及びマルチコネクタ１７２の具体的な構成を説明する。
　第９図及び第１０図に示すように
スコープコネクタ１４３には、電源供給の伝送を行うためのトランスＴ１を構成する２次コイル１０１と、映像信号等の伝送を行うためのトランスＴ２を構成する２次コイル１０２と、
前記ライトガイドコネクタ４４ａとが設けられている
・・・
　
前述のように構成されているスコープコネクタ１４３においても、マルチコネクタ１７２に押し込んでいくことによって、第１２図に示すようにワンタッチでスコープコネクタ１４３がマルチコネクタ１７２に接続された状態になる。このとき、同時に内視鏡制御装置７１側の電気系、光系及び管路系と、内視鏡２０Ａ側の電気系、光系及び管路系とが接続される。
（２−エ）
図９
３　引用文献３には、次の事項が記載されている。
（３−ア）
「【技術分野】
【０００１】
　本発明は、鍵材の把持部及び鍵材に関する。」
（３−イ）
「【発明を実施するための最良の形態】
【００１１】
　以下、本発明を具体化した一実施形態を図１〜図５に従って説明する。図１は鍵材１を示し、（ａ）は平面図、（ｂ）は側面図、（ｃ）は背面図である。図２は、鍵材１に備えられる鍵本体２の平面図である。
・・・
【００１７】
　また、表用チップ６の外面６ｄには、第１の凹部としての表側凹部８が鍵材１の長手方向に沿って形成されている。この表側凹部８は、図３（ｂ）に示すように、傾斜面８ａと平面８ｂとから構成され、平面８ｂは周囲よりも高さが低くなっている。また、図３（ａ）に示すように、表側凹部８の平面８ｂは略台形状に形成され、傾斜面８ａは平面８ｂの３辺を取り囲むように設けられている。つまり、この表側凹部８は、鍵材１を鍵穴に差し込む際の、表用チップ６に当接する親指の方向に合わせて形成されている。また、表側凹部８は、表用チップ６に当接する親指の腹の形状及び大きさに合わせて形成されている。詳述すると、解錠又は施錠のために把持部３を把持する際には、親指と人差し指とを略直交するように交差させて、親指の腹と人差し指の側面とで把持部３を挟んで支持するのが通常である（図５参照）。このとき、親指の腹が、表用チップ６の外面６ｄに当接し、人差し指の側面が裏用チップ７の外面７ｃに当接する。従って、表用チップ６に表側凹部８を設けることにより、把持部３を把持した際に親指の腹が表側凹部８に沿って密着し、ぴったりと合うような感触を使用者に与える。」
（３−ウ）
「【００２８】
　次に、この鍵材１を使用して、錠を解錠又は施錠する場合の作用について図５に従って説明する。尚、図５は、鍵材１を差し込む際の手を上方からみた図である。まず、鍵材１を鍵穴に差し込む前に、把持部３の触感によって鍵材１の表裏、すなわち把持する向きを判別する。つまり、表用チップ６の外面６ｄ及び裏用チップ７の外面７ｃを指で触って、その触感により親指の腹に密着する面又は人差し指の側面に密着する面（表又は裏）を判別する。そして、親指に密着する方の面、つまり表用チップ６の外面６ｄを親指の腹で、人差し指に密着する方の面、つまり裏用チップ７の外面７ｃを人差し指の側面で把持する。このとき、例えば、表用チップ６を人差し指で、裏用チップ７を親指で把持すると、表側凹部８及び裏側凹部１８の各長手方向と、人差し指及び親指の各長手方向が異なることで、把持したときに違和感を感じる。従って、間違った面を把持した場合には、触感により明確に把持方向が間違っていることがわかる。」
（３−エ）
図１
図５
第５　対比・判断
１　対比
（１）本願発明と引用発明との対比
ア　内視鏡のコネクタについて
　引用発明の「ａ)」「内視鏡コネクタ５」は、「光源装置と一体のビデオプロセッサである外部機器に着脱自在に接続される」から、本願発明の「照明光を発生する光源装置と接続する内視鏡のコネクタ」に相当する。
イ　照明光を導光する導光部について
　引用発明の「ｃ)」「ライトガイド口金２６」は、「外部機器からの照明光が入射される」から、本願発明の「照明光を導光する導光部」に相当する。
ウ　光源装置と通信を行う通信部と受電部、収納部について
　引用文献１に記載された内視鏡は、図１、５より、外部機器１００とのみ接続されていることが見てとれるので、引用発明の内視鏡の電力は、外部機器１００から供給されているといえる。
　また、第４　１　ア　（１−ア）に背景技術として特開平８−２１１３０７号公報の内視鏡コネクタが記載されており、同公報には【００１９】に光源装置と接続される電気接点を備えている内視鏡コネクタが記載されているように、内視鏡と光源が電気的に接続され、内視鏡側で光源の点灯等を制御することは自明である。
　そうすると、引用発明の「ａ)」「外部機器」は「光源装置と一体のビデオプロセッサである」から「ｅ)外部機器１００との接続状態において」、「外部機器１００のコネクタ接続部１１０の複数の電気接点端子１０３，１０４と接触して電気的に導通する」「第１の電気コネクタ部２１、および第２の電気コネクタ部２２の各電気接点３１，３３」には、光源装置と通信する光源用電気接点と、電力の供給を受ける電力用電気接点があることは自明である。
　したがって、引用発明の「ｃ)」「第１の電気コネクタ部２１」の「複数の第１の電気接点３１が外周部の周面一部に周方向に沿って並設され」た部分、及び「第２の電気コネクタ部２２」の「複数の第２の電気接点３３が外周部の周面一部に周方向に沿って並設され」た部分は、本願発明の「光源装置と」「通信を行う」「通信部と」、「光源装置から」「電力の供給を受ける」「受電部」に相当する。
　そして、引用発明の「ａ)」「電気プラグ部２８」は、「２段連設形成された外径が異なる略円柱状の一体形成された２つの電気コネクタ部２１，２２を」、「電気プラグ部２８」の外側に「有する」ものである。
　さらに、引用発明の「ａ)」「電気プラグ部２８」は、「ｃ)」「第１の電気コネクタ部２１の端面（基端面）からは、上部側に外部機器からの照明光が入射されるライトガイド口金２６が延設され」ており、第１の電気コネクタ部２１の端面（基端面）からライトガイド口金２６が突出しているといえる。
　そうすると、引用発明の「ａ)」「２段連設形成された外径が異なる略円柱状の一体形成された２つの電気コネクタ部２１，２２を有する電気プラグ部２８」であって「「ｃ)」「第１の電気コネクタ部２１の端面（基端面）からは、上部側に外部機器からの照明光が入射されるライトガイド口金２６が延設され」ている」「電気プラグ部２８」と、
本願発明の「通信部及び」「受電部を収納し、前記光源装置に接続する接続姿勢において前記光源装置側に位置する前面から前記導光部が突出する収納部」とは、
「通信部及び受電部を備え、前記光源装置に接続する接続姿勢において前記光源装置側に位置する前面から前記導光部が突出するコネクタ部分」で共通する。
エ　指載部を有する把持部について
　図５より、内視鏡コネクタ５を外部機器に接続した状態では、コネクタカバー２４の上部の複数の滑り止め用凸部４４の並ぶ方向が、ライトガイド口金２６の中心軸と同じ方向で、複数の滑り止め用凸部４４がライトガイド口金２６の中心軸の鉛直上にあることが見てとれる。
　さらに引用発明の「ｄ)コネクタカバー２４は、外周部の側部中途部分に、漏水検知口金４３が設けられ、外周部の上下一部には、複数の滑り止め用凸部４４が形成され、コネクタカバー２４から突起する漏水検知口金４３の配設位置を上下方向に対して、右斜め方向へ略５０°（角度θ＝略５０°）傾けた位置に設けたことにより、ユーザが上部方向からアクセスして右手でコネクタカバー２４部分を把持したときに、人差し指と親指の間に漏水検知口金４３が位置自然にコネクタ５のコネクタカバー２４部分を把持することができ」るのであるから、把持部であり、引用発明の「ユーザが上部方向からアクセスして右手でコネクタカバー２４部分を把持したときに、」「親指」が位置する「複数の滑り止め用凸部４４」は、「複数の滑り止め用凸部４４」が形成されている部分のコネクタカバー２４を含めて本願発明の「接続姿勢において鉛直上方に位置する上面から見た場合に前記導光部の中心軸上に一つの親指を載せる」「指載部」に相当し、そうすると、引用発明の「コネクタカバー２４」は、本願発明の「指載部を有する把持部」に相当する。
（２）よって、本願発明と引用発明１とは、以下の一致点で一致し、相違点１及び２で相違する。
（一致点）
「照明光を発生する光源装置と接続する内視鏡のコネクタにおいて、
　前記照明光を導光する導光部と、
　前記光源装置と通信を行う通信部と、
　前記光源装置から電力の供給を受ける受電部と、
　前記通信部及び前記受電部を備え、前記光源装置に接続する接続姿勢において前記光源装置側に位置する前面から前記導光部が突出するコネクタ部分と、
　前記接続姿勢において鉛直上方に位置する上面から見た場合に前記導光部の中心軸上に一つの親指を載せる指載部を有する把持部と、
　を備えるコネクタ。」
（相違点１）
　通信部、受電部及びコネクタ部分について、本願発明では、それぞれ、「無線通信を行う無線通信部」、「無線で電力の供給を受ける無線受電部」及び「通信部及び前記受電部を収納」する「収納部」であるのに対して、引用発明では、それぞれ、「光源装置と通信する光源用電気接点」、「電力の供給を受ける電力用電気接点」及び「電気プラグ部２８」である点。
（相違点２）
　一つの親指を載せる指載部について、本願発明では、「把持部の中心軸に沿った第１方向の長さが、前記把持部の中心軸に垂直な第２方向の長さよりも長く、前記上面から見た場合に、前記収納部側の半円形状の前部と、前記第１方向に沿った長方形状の中部と、前記収納部側と反対側の半円形状の後部とを有し、前記上面に対して、前記前部の深さは、前記後部側から前記収納部側にかけて浅くなっており、前記中部は、前記第１方向において一定の深さであり、かつ、前記第２方向において湾曲したＵ字型の面形状であり、前記後部の深さは、前記第１方向において前記収納部側と反対側にかけて中心から遠いほど浅くなっている凹部である」のに対して、引用発明では、「複数の滑り止め用凸部４４」が「形成され」ている「コネクタカバー２４」の「外周部の上」「一部」である点。
２　判断
　引用文献２の上記摘記（２−イ）に「電源伝送部及び前記信号伝送部を、非接触型の電磁誘導結合手段である非接触電力伝送部及び非接触信号伝送部で構成」することにより、「着脱可能なユニバーサルコードユニットの連結部及び本体部ユニットの連結部」「に設けられる電気接点が大幅に減少するので、内視鏡を洗浄・消毒するに当たっての問題であった錆の発生等、耐性品質が大幅に向上して防水キヤップの装着が不要になる。」と記載され、上記摘記（２−ウ）にそのための具体的構成が「第９図及び第１０図に示すようにスコープコネクタ１４３には、電源供給の伝送を行うためのトランスＴ１を構成する２次コイル１０１と、映像信号等の伝送を行うためのトランスＴ２を構成する２次コイル１０２・・・が設けられている。」と記載されており、図９より、スコープコネクタ１４３が、２次コイル１０１、１０２を収納していることが見てとれる。
　そして、引用文献１と引用文献２とは、内視鏡のコネクタという点で技術分野が共通しており、また、引用文献１のコネクタにおいても、引用文献２の従来技術のコネクタと同様に、内視鏡を洗浄・消毒するに当たって錆の発生等が問題であることは自明であるから、錆の発生等、耐性品質を大幅に向上するために、防水キャップの装着を不要とし、電気接点を減少させることが好ましいことは、当業者にとって明らかであるから、引用文献１に記載の光源用電気接点と電力用電気接点に対して引用文献２に記載の技術事項を採用することには、十分な動機付けが存在する。
　したがって、引用発明に引用文献２に記載の上記技術事項を適用し、相違点１に係る本願発明の構成とすることは、当業者が容易に想到することである。
（２）相違点２について
　引用文献３の上記摘記（３−イ）に「【００１７】・・・第１の凹部としての表側凹部８が鍵材１の長手方向に沿って形成されている。・・・この表側凹部８は、鍵材１を鍵穴に差し込む際の、表用チップ６に当接する親指の方向に合わせて形成されている。また、表側凹部８は、表用チップ６に当接する親指の腹の形状及び大きさに合わせて形成されている。」と記載され、また図１（ａ）、図５に示されているように、差し込む方向と親指の方向が合うように、握る位置を決めるために親指が置かれる部分の形状を親指の腹の形状に合うよう凹部の構成とし、方向を定めて握りやすくすることは周知の技術事項であり、引用発明の一つの親指を載せる指載部を、親指の方向、腹の形状及び大きさに合う凹部とすることは容易に想到し得ることであり、凹部の形状として「把持部の中心軸に沿った第１方向の長さが、前記把持部の中心軸に垂直な第２方向の長さよりも長く、前記上面から見た場合に、前記収納部側の半円形状の前部と、前記第１方向に沿った長方形状の中部と、前記収納部側と反対側の半円形状の後部とを有し、前記上面に対して、前記前部の深さは、前記後部側から前記収納部側にかけて浅くなっており、前記中部は、前記第１方向において一定の深さであり、かつ、前記第２方向において湾曲したＵ字型の面形状であり、前記後部の深さは、前記第１方向において前記収納部側と反対側にかけて中心から遠いほど浅くなっている凹部である」とすることは、当業者が親指の形状を考慮して適宜採用する設計事項である。
（３）作用効果について
　本願発明の作用効果は、引用文献１、２記載の技術事項及び周知の技術事項から当業者が予測し得る範囲内のものにすぎず、格別顕著なものともいえない。
（４）請求人の令和２年１２月１１日付け意見書の主張について
ア　請求人は「引用文献１には、「電気プラグ部２８である２つの電気コネクタ部２１，２２は、後方側の電気コネクタ部（以下、第１の電気コネクタ部という場合もある）２１が前方側の電気コネクタ部（以下、第２の電気コネクタ部という場合もある）２２よりも小さい外径を有している。」（引用文献１段落［００１７］）、「第１の電気コネクタ部２１は、第２の電気コネクタ部２２の端面（基端面）から突起するように形成されており、複数の第１の電気接点３１が外周部の周面一部に周方向に沿って並設されている。また、第１の電気コネクタ部２１は、ここでは上部側外周部の縁辺に、外部機器が接続されたスコープを認識するための切り欠き部３２が形成されている。さらに、第１の電気コネクタ部２１の端面（基端面）からは、上部側に外部機器からの照明光が入射されるライトガイド口金２６、および下部側に外部機器からの気体が送気される送気口金２７が延設されている。」（同段落［００１８］）と記載されています。上記のように、特に、第１の電気コネクタ部２１には、電気接点が並設されるとともに、外部機器が接続されたスコープを認識するための切り欠き部３２が形成されるというように、電気接点以外の特定の機能も付されます。
　切り欠き部３２が電気的にスコープを認識するものか、物理的にスコープを認識するものかは記載がありませんので、どちらの可能性もあると考えることができ、一方が優先的であるとの記載はありません。したがって、引用文献１は、電気プラグ部の電気コネクタに電気接点の他にも、電気的な特定の機能を積極的に付そうとするものであり、電気接点を減少させるとの課題について記載又は示唆があるとはいえないため、引用文献１に引用文献２を組み合わせる動機はありません。
　仮に、光源用電気接点と電力用電気接点を減少させることが好ましいことが当業者にとって明らかであるとしても、上記のとおり、引用文献１記載のコネクタにおいては、電気プラグ部は光源用電気接点及び電力用電気接点以外の電気的な機能も発揮するように構成されているため、引用文献１の電気プラグ部の電気コネクタ部を、引用文献２記載の電気コネクタの場合と同様に電気接点を減少させるように変更することによって、引用文献１では、外部機器が接続されたスコープを認識するといった機能を害するおそれがあります。したがって、引用文献１の場合は、引用文献２を組み合わせることには阻害要因があると言えます。」と主張する。
　しかし、引用発明の外部機器が接続されたスコープを認識するための切り欠き部３２は、引用発明に引用文献２に記載の技術事項を適用しても、残るものであるから、切り欠き部３２の機能を損なうものとはいえないし、上記「（２）相違点２について」で検討した、引用発明に引用文献２に記載の技術事項を適用することにより電気接点を減少させることができるのである。
　したがって、引用発明に引用文献２に記載の上記技術事項を適用することに阻害要因があるとはいえないので、請求人の上記主張は採用できない。
イ　さらに、請求人は、「引用文献１の「滑り止め用凸部４４」は、以下に説明する通り、指載部ではないとするべきです。したがって、引用文献１の「滑り止め用凸部４４」は、本願の「指載部」とは一致しません。
　まず、引用文献１のコネクタ５のこのような形状のために、「滑り止め用凸部４４」を親指の指載部として、コネクタ５の、引用文献１でいう後側を把持することは、ライトガイド口金２６から遠い部分を把持することになり、ライトガイド口金２６の挿入を難しくするため、不自然であり行い難いものと思料します。
　また、「滑り止め用凸部４４」が手のひらが接触して滑り止めとなる凸部であるとするのは、コネクタ５の全体の形状及び銘板３６から自然であると考えます。すなわち、コネクタ５は全体が円筒状とされ、コネクタ５全体を手で把持しやすい形状とされています。そして、コネクタ５では、銘板３６が「滑り止め用凸部４４」より突出して形成されています。したがって、コネクタ５を上方から把持する場合、銘板３６の突起に親指を当てて、手のひらを「滑り止め用凸部４４」に接触させて把持することにより、コネクタ５を差し込み易いように構成されているといえます。
　また、「滑り止め用凸部４４」が指載部ではなく、手のひらが接触して滑り止めとなる凸部であるということは、「滑り止め用凸部４４」がコネクタ５の上下２箇所に配置されていることからも明らかであると思料します。「滑り止め用凸部４４」が指載部であるならば、コネクタ５の下に配置されることはありません。
　以上のとおり、引用文献１の「滑り止め用凸部４４」は指載部ではないため、本願の「指載部」とは一致せず、本願の「指載部」は、引用文献１の「滑り止め用凸部４４」と相違します。」と主張する。
　しかし、引用文献１の上記摘記（１−エ）にコネクタカバー２４の握り方が記載されており、図４、５を参照すれば、上側の滑り止め用凸部４４が、「複数の滑り止め用凸部４４」が形成されている部分のコネクタカバー２４を含めて親指の載置部であることが明確に理解できるので、請求人の上記主張は採用できない。
第６  むすび
　以上のとおり、本願発明は、特許法第２９条第２項の規定により特許を受けることができないから、その他の請求項について言及するまでもなく、本願は拒絶されるべきものである。　
　よって、結論のとおり審決する。